(57)【要約】【課題】マルチディスプレイを構成する表示画面間における、表示の相違を、容易に把握することに貢献すること。【解決手段】情報処理装置は、撮影画像を取得する画像取得部と、画像取得部が、２以上の表示画面を被写体として含む、第１の撮影画像を取得した場合、第１の撮影画像から、各表示画面に相当する領域を、夫々、第１の領域として抽出する、領域抽出部と、第１の領域毎に、予め定められた１又は２以上の各基準色に対応する、画素輝度を算出する、画素輝度算出部と、領域抽出部が抽出した第１の領域のうち、一の領域を、基準領域として決定する、基準領域決定部と、各基準色に関して、各第１の領域に対応する画素輝度と、基準領域に対応する画素輝度と、を比較する、比較部と、を備える。【選択図】図１
2016018058.tif 000002
【特許請求の範囲】
【請求項１】
撮影画像を取得する画像取得部と、
前記画像取得部が、２以上の表示画面を被写体として含む、第１の前記撮影画像を取得した場合、前記第１の撮影画像から、前記各表示画面に相当する領域を、夫々、第１の領域として抽出する、領域抽出部と、
前記第１の領域毎に、予め定められた１又は２以上の各基準色に対応する、画素輝度を算出する、画素輝度算出部と、
前記領域抽出部が抽出した前記第１の領域のうち、一の領域を、基準領域として決定する、基準領域決定部と、
前記各基準色に関して、前記各第１の領域に対応する前記画素輝度と、前記基準領域に対応する前記画素輝度と、を比較する、比較部と、
を備える情報処理装置。
【請求項２】
前記画素輝度算出部は、前記各基準色に関して、前記各第１の領域に対応する前記画素輝度の統計値を、夫々、第１の統計値として算出するとともに、各基準色に関して、前記基準領域に対応する前記第１の統計値を、夫々、第２の統計値として決定し、
前記比較部は、前記各基準色に関して、前記第１の統計値と、前記第２の統計値と、の差分を、前記第１の領域毎に算出する、請求項１に記載の情報処理装置。
【請求項３】
前記画素輝度算出部は、前記画素輝度の平均値、中間値、最頻度の少なくともいずれかを、前記第１の統計値として算出する、請求項２に記載の情報処理装置。
【請求項４】
画素輝度テーブルを記憶する、記憶部をさらに備え、
前記画素輝度テーブルは、前記第１の領域を識別するための情報と、当該第１の領域、及び前記各基準色に対応する、前記第１の統計値と、当該基準色に対応する前記差分と、を対応付けた情報を含む、請求項２又は３に記載の情報処理装置。
【請求項５】
前記領域抽出部は、前記画像取得部が、隣り合う表示画面に挟まれた境界部分を、被写体として含む第２の前記撮影画像を取得した場合、前記境界部分に相当する第２の領域を、第２の撮影画像から抽出し、前記第２の領域の画素値を抽出し、前記第２の領域の画素値に基づいて、前記第１の撮影画像から、１又は２以上の前記第１の領域を抽出する、請求項１乃至４のいずれか一に記載の情報処理装置。
【請求項６】
２以上の表示画面を制御する、表示制御装置と、
撮影画像を取得する画像取得部を備える情報処理装置と、
を含む情報処理システムであって、
前記情報処理装置は、
前記画像取得部が、２以上の前記表示画面を被写体として含む、第１の前記撮影画像を取得した場合、前記各表示画面に相当する領域を、夫々、第１の領域として、前記第１の撮影画像から抽出する、領域抽出部と、
前記第１の領域毎に、予め定められた１又は２以上の各基準色に対応する、画素輝度を算出する、画素輝度算出部と、
前記領域抽出部が抽出した前記第１の領域のうち、一の領域を、基準領域として決定する、基準領域決定部と、
前記各基準色に関して、前記各第１の領域に対応する前記画素輝度と、前記基準領域に対応する前記画素輝度と、を比較する、比較部と、
を備える、情報処理システム。
【請求項７】
前記表示制御装置は、前記基準領域に対応する第１の前記表示画面と、前記基準領域と異なる１又は２以上の前記第１の領域に対応する、第２の前記表示画面とに、同一の前記基準色を表示させる、請求項６に記載の情報処理システム。
【請求項８】
撮影画像を取得する画像取得部を備える、情報処理装置の制御方法であって、
２以上の表示画面を被写体として含む、第１の前記撮影画像が取得された場合、前記第１の撮影画像から、前記各表示画面に相当する領域を、夫々、第１の領域として抽出する、領域抽出工程と、
前記第１の領域毎に、予め定められた１又は２以上の各基準色に対応する、画素輝度を算出する、画素輝度算出工程と、
前記第１の領域のうち、一の領域を、基準領域として決定する、基準領域決定工程と、
前記各基準色に関して、前記各第１の領域に対応する前記画素輝度と、前記基準領域に対応する前記画素輝度と、を比較する、比較工程と、
を含む情報処理装置の制御方法。
【請求項９】
撮影画像を取得する画像取得部を備える、情報処理装置を制御するコンピュータに実行させるプログラムであって、
２以上の表示画面を被写体として含む、第１の前記撮影画像が取得された場合、前記第１の撮影画像から、前記各表示画面に相当する領域を、夫々、第１の領域として抽出する、領域抽出処理と、
前記第１の領域毎に、予め定められた１又は２以上の各基準色に対応する、画素輝度を算出する、画素輝度算出処理と、
前記第１の領域のうち、一の領域を、基準領域として決定する、基準領域決定処理と、
前記各基準色に関して、前記各第１の領域に対応する前記画素輝度と、前記基準領域に対応する前記画素輝度と、を比較する、比較処理と、
を実行するプログラム。
【発明の詳細な説明】
【技術分野】
【０００１】
本発明は、情報処理装置、情報処理システム、情報処理装置の制御方法、及びプログラムに関する。
【背景技術】
【０００２】
公共施設、商業施設等において、２以上の表示画面を並べて配置した、所謂、マルチディスプレイが利用される場合がある。マルチディスプレイを利用する場合には、各表示画面の明るさ等が均一であることが好ましい。そこで、マルチディスプレイにおける、各表示画面の明るさ等が均一となるように、表示画面の表示を補正する技術が提案されている。
【０００３】
特許文献１においては、色彩計を用いて、表示装置の輝度を設定する技術が開示されている。
【先行技術文献】
【特許文献】
【０００４】
【特許文献１】特開２００８−２９９０６６号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上述の通り、マルチディスプレイを利用する場合には、各表示画面の明るさ等が均一であることが好ましい。
【０００７】
ここで、特許文献１に開示された技術では、色彩計を表示装置に接触させる必要がある。そのため、例えば、表示装置が筐体に格納されており、色彩計を表示画面に接触させることが不可能な場合、特許文献１に開示された技術を利用できない。また、例えば、色彩計を接触させることが困難な位置に、表示装置が設置されている場合、特許文献１に開示された技術を利用できない。
【０００８】
そこで、本発明は、マルチディスプレイを構成する表示画面間における、表示の相違を、容易に把握することに貢献する情報処理装置、情報処理システム、情報処理装置の制御方法、及びプログラムを提供することを目的とする。
【課題を解決するための手段】
【０００９】
本発明の第１の視点によれば、撮影画像を取得する画像取得部と、前記画像取得部が、２以上の表示画面を被写体として含む、第１の前記撮影画像を取得した場合、前記第１の撮影画像から、前記各表示画面に相当する領域を、夫々、第１の領域として抽出する、領域抽出部と、前記第１の領域毎に、予め定められた１又は２以上の各基準色に対応する、画素輝度を算出する、画素輝度算出部と、前記領域抽出部が抽出した前記第１の領域のうち、一の領域を、基準領域として決定する、基準領域決定部と、前記各基準色に関して、前記各第１の領域に対応する前記画素輝度と、前記基準領域に対応する前記画素輝度と、を比較する、比較部と、を備える情報処理装置が提供される。
【００１０】
本発明の第２の視点によれば、２以上の表示画面を制御する、表示制御装置と、撮影画像を取得する画像取得部を備える情報処理装置と、を含む情報処理システムであって、前記情報処理装置は、前記画像取得部が、２以上の前記表示画面を被写体として含む、第１の前記撮影画像を取得した場合、前記各表示画面に相当する領域を、夫々、第１の領域として、前記第１の撮影画像から抽出する、領域抽出部と、前記第１の領域毎に、予め定められた１又は２以上の各基準色に対応する、画素輝度を算出する、画素輝度算出部と、前記領域抽出部が抽出した前記第１の領域のうち、一の領域を、基準領域として決定する、基準領域決定部と、前記各基準色に関して、前記各第１の領域に対応する前記画素輝度と、前記基準領域に対応する前記画素輝度と、を比較する、比較部と、を備える、情報処理システムが提供される。
【００１１】
本発明の第３の視点によれば、撮影画像を取得する画像取得部を備える、情報処理装置を制御するコンピュータに実行させるプログラムであって、２以上の表示画面を被写体として含む、第１の前記撮影画像が取得された場合、前記第１の撮影画像から、前記各表示画面に相当する領域を、夫々、第１の領域として抽出する、領域抽出処理と、前記第１の領域毎に、予め定められた１又は２以上の各基準色に対応する、画素輝度を算出する、画素輝度算出処理と、前記第１の領域のうち、一の領域を、基準領域として決定する、基準領域決定処理と、前記各基準色に関して、前記各第１の領域に対応する前記画素輝度と、前記基準領域に対応する前記画素輝度と、を比較する、比較処理と、を実行するプログラムが提供される。
なお、本プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【００１２】
本発明の第４の視点によれば、撮影画像を取得する画像取得部を備える、情報処理装置の制御方法であって、２以上の表示画面を被写体として含む、第１の前記撮影画像が取得された場合、前記第１の撮影画像から、前記各表示画面に相当する領域を、夫々、第１の領域として抽出する、領域抽出工程と、前記第１の領域毎に、予め定められた１又は２以上の各基準色に対応する、画素輝度を算出する、画素輝度算出工程と、前記第１の領域のうち、一の領域を、基準領域として決定する、基準領域決定工程と、前記各基準色に関して、前記各第１の領域に対応する前記画素輝度と、前記基準領域に対応する前記画素輝度と、を比較する、比較工程と、を含む情報処理装置の制御方法が提供される。
なお、本方法は、撮影画像の画素輝度を解析する情報処理装置という、特定の機械に結び付けられている。
【発明の効果】
【００１３】
本発明の各視点によれば、マルチディスプレイを構成する表示画面間における、表示の相違を、容易に把握することに貢献する情報処理装置、情報処理システム、情報処理装置の制御方法、及びプログラムが提供される。
【図面の簡単な説明】
【００１４】
【図１】一実施形態の概要を説明するための図である。
【図２】情報処理システム３００の全体構成の一例を示すブロック図である。
【図３】マルチディスプレイ２０２の一例を示す図である。
【図４】情報処理装置１００の内部構成の一例を示すブロック図である。
【図５】境界部分色データ１５１の一例を示す図である。
【図６】画素輝度テーブル１５２の一例を示す図である。
【図７】マルチディスプレイ４００の一例を示す図である。
【図８】第２の撮影画像４２０の一例を示す図である。
【図９】第１の撮影画像４３０の一例を示す図である。
【図１０】情報処理装置１００の動作の一例を示すフローチャートである。
【図１１】情報処理装置１００の動作の一例を示すフローチャートである。
【図１２】情報処理装置１００の動作の一例を示すフローチャートである。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１６】
上述の通り、マルチディスプレイを構成する表示画面間における、表示の相違を、容易に把握することが望ましい。
【００１７】
そこで、一例として、図１に示す情報処理装置１０００を提供する。情報処理装置１０００は、画像取得部１００１と、領域抽出部１００２と、画素輝度算出部１００３と、基準領域決定部１００４と、比較部１００５と、を備える。
【００１８】
画像取得部１００１は、撮影画像を取得する。撮影画像は、所定の単位領域（以下、画素と呼ぶ）の集合により構成される。そして、以下の説明において、各画素の明るさを表現する数値を、画素値と呼ぶ。画像取得部１００１が、２以上の表示画面を被写体として含む撮影画像を取得した場合、領域抽出部１００２は、当該撮影画像から、各表示画面に相当する領域を、夫々、第１の領域として抽出する。なお、以下の説明では、２以上の表示画面を被写体として含む、撮影画像を、第１の撮影画像と呼ぶ。
【００１９】
そして、画素輝度算出部１００３は、第１の領域毎に、予め定められた１又は２以上の基準色に対応する、画素輝度を算出する。ここで、画素輝度とは、所定の色成分に対応する画素値の上限値に対する、対象の画素値の比を意味する。例えば、ＲＧＢ（Ｒ：Red、Ｇ：Green、Ｂ：Blue）画像において、Ｒ成分（赤色成分）の画素値が、０〜２５５の範囲の値で表現されるとする。その場合に、算出対象の画素の画素値が、１２８である場合、当該画素における赤色成分の画素輝度は、５０％である。
【００２０】
例えば、ＲＧＢ画像において、基準色が、赤色成分、緑色成分、青色成分である場合、画素輝度算出部１００３は、赤色成分、緑色成分、青色成分、夫々に関して、表示画面に相当する領域内の各画素における、画素輝度を算出する。
【００２１】
そして、基準領域決定部１００４は、領域抽出部１００２が抽出した第１の領域のうち、一の領域を、基準領域として決定する。すなわち、基準領域決定部１００４は、２以上の表示画面のうち、一の表示画面に相当する、第１の撮影画像内の領域を、基準領域として決定する。
【００２２】
そして、比較部１００５は、各基準色に対して、各第１の領域に対応する画素輝度と、基準領域に対応する画素輝度とを比較する。すなわち、比較部１００５は、各表示画面に表示される画素輝度と、基準領域に対応する表示画面に表示される画素輝度と、を比較する。
【００２３】
例えば、ユーザが、マルチディスプレイを構成する各表示画面の表示における、相違を把握したいとする。その場合、ユーザは、マルチディスプレイを構成する全表示画面に、同一の色を表示させる。そして、ユーザは、情報処理装置１０００を用いて、マルチディスプレイを撮影し、基準とする表示画面を決定すればよい。
【００２４】
そして、情報処理装置１０００は、撮影画像に基づいて、各表示画面に表示される色の濃さ（即ち、第１の領域における画素輝度）と、基準領域に対応する表示画面に表示される色の濃さ（即ち、基準領域における画素輝度）と、を比較する。ここで、この比較結果は、基準領域に対応する表示画面と、基準領域と異なる表示画面との間の、表示の相違に関する情報を示す。そのため、情報処理装置１０００は、マルチディスプレイを構成する表示画面間における、表示の相違を、容易に把握することに貢献する。
【００２５】
［第１の実施形態］
第１の実施形態について、図面を用いてより詳細に説明する。なお、以下の説明では、２以上の表示画面が、所定の範囲内の間隔で配置されていることを、「マルチディスプレイ」と呼ぶ。また、以下の説明では、マルチディスプレイを被写体とする画像を、第１の撮影画像と呼ぶ。
【００２６】
また、以下の説明では、ＲＧＢ画像において、Ｒ成分、Ｇ成分、Ｂ成分を、夫々、赤色成分、緑色成分、青色成分と呼ぶ。また、以下の説明では、ＲＧＢ画像において、赤色成分の画素輝度、緑色成分の画素輝度、青色成分の画素輝度を、夫々、赤色輝度、緑色輝度、青色輝度と呼ぶ。また、以下の説明では、ＲＧＢ画像において、赤色輝度、緑色輝度、青色輝度が夫々１００％の状態を、白色と呼ぶ。そして、以下の説明では、基準色が白色である場合における画素輝度を、輝度と呼ぶ。
【００２７】
図２は、本実施形態に係る情報処理システム３００の全体構成の一例を示すブロック図である。情報処理システム３００は、情報処理装置１００と、表示制御装置２００と、２以上の表示装置２０１−１〜２０１−ｎ（ｎは、２以上の自然数）を含んで構成される。なお、図２は、本実施形態に係る情報処理システム３００を、図２に示す構成に限定する趣旨ではない。
【００２８】
情報処理装置１００は、撮影画像を取得し、撮影画像を画像処理する。具体的には、情報処理装置１００は、撮影画像として、第１の撮影画像を取得した場合、各表示画面に相当する領域の画素輝度を算出する。そして、情報処理装置１００は、第１の撮影画像において、マルチディスプレイのうち、所定の一の表示画面に相当する領域を、基準領域として決定する。そして、情報処理装置１００は、基準領域の画素輝度と、基準領域以外の領域の画素輝度とを比較する。
【００２９】
情報処理装置１００は、携帯電話、スマートフォン、タブレット端末、パーソナルコンピュータ（ＰＣ、Personal Computer）等であっても良く、本書で説明する機能を実現できれば、その詳細は問わない。
【００３０】
表示制御装置２００は、２以上の表示装置２０１−１〜２０１−ｎを制御する。ここで、表示装置２０１−１〜２０１−ｎは、夫々、表示画面を備える。すなわち、表示制御装置２００は、２以上の表示画面を制御する。そして、表示制御装置２００は、表示装置２０１−１〜２０１−ｎの表示画面を制御する。ここで、表示画面は、液晶パネル、有機ＥＬ（Electro Luminescence）パネル等であっても良く、その詳細は問わない。
【００３１】
情報処理システム３００においては、表示装置２０１−１〜２０１−ｎの表示画面が、所定の範囲内の間隔で配置され、マルチディスプレイを構成しているものとする。なお、以下の説明では、表示装置２０１−１〜２０１−ｎにおいて、夫々の表示装置を区別する必要がない場合、表示装置２０１と表現する。
【００３２】
図３は、マルチディスプレイ２０２の一例を示す図である。具体的には、図３は、表示画面２０３−１−１〜２０３−ｋ−ｍ（ｋ、ｍは、１以上の自然数）が、ｋ行ｍ列に配置されたマルチディスプレイ２０２を示す。本書において、隣り合う表示画面に挟まれた部分（例えば、図３に破線で示す領域２０４）を、表示画面の境界部分と呼ぶ。
【００３３】
次に、情報処理装置１００の内部構成について説明する。
【００３４】
図４は、情報処理装置１００の内部構成の一例を示すブロック図である。情報処理装置１００は、画像取得部１１０と、装置表示部１２０と、装置操作部１３０と、制御部１４０と、記憶部１５０と、を含んで構成される。制御部１４０は、領域抽出部１４１と、基準領域決定部１４２と、画素輝度算出部１４３と、比較部１４４と、を含んで構成される。図４は、本実施形態に係る情報処理装置１００に関係するモジュールを主に記載する。
【００３５】
図４に示すモジュールは、情報処理装置１００に搭載されたコンピュータに、そのハードウェアを用いて、情報処理装置１００に動作を実行させるコンピュータプログラムにより実現しても良い。
【００３６】
画像取得部１１０は、撮影画像を取得する。具体的には、画像取得部１１０は、レンズ（図示せず）と、撮像素子（図示せず）と、を含んで構成されることが好ましい。その場合、まず、レンズで集光した光信号は、撮像素子の受光面で結像する。そして、画像取得部１１０は、撮像素子が変換した光信号に基づいて、撮像画像を生成する。
【００３７】
装置表示部１２０は、情報を表示する。例えば、装置表示部１２０は、画像取得部１１０が取得した撮影画像を表示する。装置表示部１２０は、液晶パネル、有機ＥＬパネル等であっても良く、その詳細は問わない。
【００３８】
装置操作部１３０は、ユーザの操作を受け付ける。例えば、装置操作部１３０は、キーボード、タッチパネル、マウス等であっても良い。また、装置操作部１３０は、撮影を実行するためのシャッターボタンを含んでいても良い。
【００３９】
制御部１４０は、情報処理装置１００の全体を制御すると共に、図４に示す各モジュールを制御する。また、制御部１４０は、装置操作部１３０が受け付けた操作に応じて、処理を実行する。また、制御部１４０は、装置表示部１２０に、撮影画像を表示する。
【００４０】
以下、制御部１４０の詳細について説明する。
【００４１】
領域抽出部１４１は、画像取得部１１０が取得した撮影画像から、所定の領域を抽出する。具体的には、領域抽出部１４１は、２以上の表示画面を被写体として含む、第１の撮影画像を取得した場合、第１の撮影画像から、各表示画面に相当する領域を、夫々、第１の領域として抽出する。
【００４２】
より具体的には、領域抽出部１４１は、画像取得部１１０が、隣り合う表示画面に挟まれた境界部分を、被写体として含む第２の撮影画像を取得した場合、境界部分に相当する第２の領域を、第２の撮影画像から抽出する。なお、領域抽出部１４１は、表示画面の境界部分に相当する領域のうち、一部の領域を第２の領域として、第２の撮影画像から抽出しても良い。
【００４３】
さらに、領域抽出部１４１は、第２の領域の画素値を抽出し、第２の領域の画素値に基づいて、第１の撮影画像から、１又は２以上の第１の領域を抽出する。なお、以下の説明において、第１の領域を識別するための情報を、領域識別情報と呼ぶ。例えば、領域識別情報は、第１の領域毎に割り当てられた番号等であっても良い。例えば、領域抽出部１４１は、第１の領域を抽出した順番に応じて、第１の領域に、領域識別情報を設定しても良い。領域識別情報の設定方法は各種あるが、その詳細は問わない。
【００４４】
基準領域決定部１４２は、領域抽出部１４１が抽出した第１の領域のうち、一の領域を、基準領域として決定する。
【００４５】
例えば、基準領域決定部１４２は、装置操作部１３０に対するユーザの操作に基づいて、基準領域を決定しても良い。具体的には、制御部１４０は、第１の撮影画像を、装置表示部１２０に表示する。そして、ユーザは、表示部に表示された、第１の撮影画像において、装置操作部１３０を用いて、基準領域を選択する。そして、基準領域決定部１４２は、選択された領域を、基準領域として決定しても良い。ここで、ユーザは、表示画面の表示の補正において基準とする、表示画面に相当する領域を、基準領域として選択することが好ましい。なお、以下の説明では、表示画面の表示の補正において基準とする、表示画面を、基準表示画面と呼ぶ。
【００４６】
画素輝度算出部１４３は、第１の領域毎に、予め定められた１又は２以上の基準色に対応する、画素輝度を算出する。ここで、画素輝度の算出対象の画素を、対象画素と呼ぶ。
【００４７】
具体的には、画素輝度算出部１４３は、第１の領域内の各画素に関して、予め定められた基準色毎に、画素輝度を算出する。より具体的には、画素輝度算出部１４３は、第１の領域内の各画素を対象画素として、基準色の画素値の上限値に対する、当該対象画素の画素値の比を算出する。例えば、以下の式１を用いて、画素輝度算出部１４３は、画素輝度を算出しても良い。
［式１］
2016018058.tif 000003
【００４８】
例えば、第１の領域に対応する表示画面が、夫々、８ビットのＲＧＢ画像を表示可能であるとする。すなわち、第１の領域に対応する表示画面が、夫々、Ｒ＝２５５、Ｇ＝２５５、Ｂ＝２５５の画素値を上限値とする画像を、表示可能であるとする。そして、画素輝度算出部１４３は、赤色成分と、緑色成分と、青色成分と、白色とを、基準色として予め決定しておくとする。なお、上述の通り、白色とは、赤色成分と、緑色成分と、青色成分と、が夫々、画素輝度１００％の状態をいうものとする。すなわち、８ビットのＲＧＢ画像において、白色とは、画素値が、Ｒ＝２５５、Ｇ＝２５５、Ｂ＝２５５である色を意味するものとする。
【００４９】
その条件において、画素輝度算出部１４３は、画素値が（Ｒ、Ｇ、Ｂ）＝（１２８、０、２５５）である画素を、対象画素として、画素輝度を算出するとする。その場合、例えば、画素輝度算出部１４３は、当該対象画素における赤色輝度を、１２８／２５５＊１００＝５０％と算出しても良い。また、画素輝度算出部１４３は、当該対象画素における緑色輝度を、０／２５５＊１００＝０％と算出しても良い。また、画素輝度算出部１４３は、当該対象画素における青色輝度を、２５５／２５５＊１００＝１００％と算出しても良い。
【００５０】
また、基準色が白色である場合、画素輝度算出部１４３は、対象画素をグレースケール変換し、画素輝度を算出しても良い。例えば、画素輝度算出部１４３は、以下の式２に基づいて、対象画素をグレースケール変換しても良い。なお、式２において、式３が成立するものとする。なお、式２、及び式３に示す係数ａ、ｂ、ｃは、適宜決定しても良いものとする。
［式２］
2016018058.tif 000004
［式３］
2016018058.tif 000005
Ｙ：グレースケールにおける、対象画素の画素値
Ｒ：対象画素の赤色成分の画素値
Ｇ：対象画素の緑色成分の画素値
Ｂ：対象画素の青色成分の画素値
【００５１】
そして、画素輝度算出部１４３は、各基準色に関して、各第１の領域に対応する画素輝度の統計値を、夫々、第１の統計値として算出する。さらに、画素輝度算出部１４３は、各基準色に関して、基準領域に対応する第１の統計値を、夫々、第２の統計値として決定する。ここで、画素輝度算出部１４３は、画素輝度の平均値、中間値、最頻度の少なくともいずれかを、第１の統計値として算出しても良い。
【００５２】
例えば、画素輝度算出部１４３が、画素輝度の平均値を、第１の統計値として算出するとする。その場合、画素輝度算出部１４３は、第１の領域毎に、当該第１の領域内における、１又は２以上の対象画素に対応する、画素輝度の平均値を算出する。例えば、画素輝度算出部１４３は、所定の第１の領域内における、全ての対象画素の画素輝度の平均値を算出しても良い。
【００５３】
比較部１４４は、各基準色に関して、各第１の領域に対応する画素輝度と、基準領域に対応する画素輝度と、を比較する。具体的には、比較部１４４は、各基準色に関して、第１の統計値と、第２の統計値と、の差分（以下の説明では、輝度差分と呼ぶ）を、第１の領域毎に算出する。例えば、画素輝度算出部１４３は、各基準色に関して、第１の統計値から第２の統計値を引いた値を、輝度差分として算出しても良い。なお、以下の説明では、赤色輝度の輝度差分、緑色輝度の輝度差分、青色輝度の輝度差分、白色（輝度）の輝度差分を夫々、赤色輝度差分、緑色輝度差分、青色輝度差分、輝度差分と呼ぶ。
【００５４】
例えば、基準領域における、赤色成分の画素輝度の平均値が、５０％であるとする。一方、基準領域と異なる第１の領域における、赤色成分の画素輝度の平均値が６０％であるとする。その場合、比較部１４４は、第１の統計値を６０％、第２の統計値を５０％とする。そして、比較部１４４は、６０％−５０％＝１０％を、輝度差分として算出する。このようにして、比較部１４４は、第１の領域毎に、各基準色に関して、輝度差分を算出する。なお、他の基準色に関する説明は同様であるため、詳細な説明は省略する。また、画素輝度算出部１４３が、画素輝度の中間値、最頻度を、第１の統計値として算出した場合も同様であるため、詳細な説明は省略する。
【００５５】
記憶部１５０は、情報処理装置１００の動作に必要な情報を記憶する。具体的には、記憶部１５０は、境界部分色データ１５１と、画素輝度テーブル１５２と、を含む情報を記憶する。また、記憶部１５０は、情報処理装置１００に動作を実行させるコンピュータプログラムを記憶しても良い。また、記憶部１５０は、一時的な情報を記憶する、一時記憶領域（図示せず）を含む。
【００５６】
境界部分色データ１５１は、表示画面の境界部分に相当する、第２の領域の画素値を格納するデータである。例えば、制御部１４０は、第２の領域の画素値の統計値（例えば、第２の領域における、画素値の平均値等）を、境界部分色データ１５１として算出しても良い。そして、制御部１４０は、算出した境界部分色データ１５１を、記憶部１５０に記憶しても良い。
【００５７】
図５は、境界部分色データ１５１の一例を示す図である。図５は、表示画面の境界部分に相当する第２の領域は、赤色輝度１０％、緑色輝度１２％、青色輝度１０％の領域であることを示す。例えば、領域抽出部１４１は、第１の撮影画像から、境界部分色データ１５１に対して、画素値が一致する画素を、第２の領域として抽出しても良い。または、領域抽出部１４１は、第１の撮影画像から、境界部分色データ１５１に対して、画素値の差分が所定の範囲内（例えば、５％以内等）の画素を、第２の領域として抽出しても良い。
【００５８】
画素輝度テーブル１５２は、第１の領域を識別するための情報と、当該第１の領域、及び各基準色に対応する、第１の統計値と、当該基準色に対応する差分と、を対応付けた情報を含む。さらに、画素輝度テーブル１５２は、基準領域として決定された領域を示す、フラグを含んでも良い。
【００５９】
図６は、画素輝度テーブル１５２の一例を示す図である。図６に示す画素輝度テーブル１５２は、各基準色の画素輝度と、基準領域を示すフラグと、各基準色に対応する輝度差分と、を対応付けたテーブルである。具体的には、図６に示す画素輝度テーブル１５２は、各基準色の画素輝度として、赤色輝度と、緑色輝度と、青色輝度と、輝度とを含む。また、図６に示す画素輝度テーブル１５２は、各基準色に対応する輝度差分として、赤色輝度差分と、緑色輝度差分と、青色輝度差分と、輝度差分とを含む。
【００６０】
また、図６に示す画素輝度テーブル１５２は、基準領域を示す領域を、丸印で示すものとする。具体的には、図６に示す画素輝度テーブル１５２は、領域３が基準領域であることを示す。そのため、図６に示す画素輝度テーブル１５２において、各基準色の輝度差分の値は、比較部１４４が、領域３に対応する画素輝度と、領域１、２、４に対応する画素輝度との差分を算出した結果を示す。
【００６１】
図７は、マルチディスプレイ４００の一例を示す図である。図７に示すマルチディスプレイ４００は、表示画面４０１〜４０４を含んで構成される。各表示画面４０１〜４０４は、夫々、隣り合う表示画面と、所定の範囲以下の距離に配置されているものとする。ここで、例えば、画像取得部１１０が、表示画面４０１と、表示画面４０３との境界部分を含む、領域４１１を被写体とした、撮影画像を取得するとする。その場合、領域４１１を被写体とする撮影画像は、上記の第２の撮影画像に相当する。また、例えば、画像取得部１１０が、表示画面４０１〜４０４を含む領域４１２を、被写体とした撮影画像を取得するとする。その場合、領域４１２を被写体とする撮影画像は、上記の第１の撮影画像に相当する。
【００６２】
図８は、第２の撮影画像４２０の一例を示す図である。ここで、図８に示す第２の撮影画像４２０は、図７に示す領域４１１を被写体とする撮影画像であるとする。その場合、図８に示す領域４２１は、図７に示す表示画面４０１に相当する領域の一部である。また、図８に示す領域４２２は、図７に示す表示画面４０３に相当する領域の一部である。また、図８に示す領域４２３は、図７に示す表示画面４０１と、表示画面４０３との境界部分に相当する領域である。
【００６３】
ここで、制御部１４０が、図８に示す第２の撮影画像４２０を、装置表示部１２０に表示するとする。そして、ユーザが、装置操作部１３０を用いて、第２の撮影画像４２０から、領域４２３に含まれる領域４２４を、第２の領域として選択したとする。その場合、領域抽出部１４１は、選択された領域４２４を、第２の領域として抽出する。そして、領域抽出部１４１は、第２の領域の画素値を抽出する。そして、制御部１４０は、第２の領域（図８に示す領域４２４）における、画素値の平均値等を、境界部分色データ１５１として算出しても良い。そして、制御部１４０は、算出した境界部分色データ１５１を、記憶部１５０に記憶しても良い。
【００６４】
図９は、第１の撮影画像４３０の一例を示す図である。ここで、図９に示す第１の撮影画像は、図７に示す領域４１２を被写体とする撮影画像であるとする。その場合、領域抽出部１４１は、第２の領域の画素値に基づいて、図９に示す第１の撮影画像４３０から、第１の領域４３１〜４３４を抽出する。その場合、図９に示す第１の領域４３１〜４３４は、夫々、図７に示す表示画面４０１〜４０４に相当する領域である。
【００６５】
ここで、制御部１４０が、図９に示す第１の撮影画像４３０を、装置表示部１２０に表示するとする。そして、ユーザが、装置操作部１３０を用いて、第１の撮影画像４３０から、第１の領域４３１を基準領域として選択したとする。その場合、基準領域決定部１４２は、当該ユーザの操作に基づいて、領域４３１を基準領域として決定する。そして、基準領域決定部１４２は、画素輝度テーブル１５２において、領域４３１に、基準領域を示すフラグを立てても良い。
【００６６】
そして、画素輝度算出部１４３は、各基準色に関して、第１の領域４３１〜４３４における、各画素の画素輝度を算出する。さらに、画素輝度算出部１４３は、各基準色に関して、第１の領域４３１〜４３４における、画素輝度の統計値（画素輝度の平均値等）を算出する。
【００６７】
そして、比較部１４４は、第１の領域４３１（基準領域）における画素輝度の統計値と、第１の領域４３２における画素輝度の統計値との差分を、輝度差分として算出する。そして、制御部１４０は、算出した輝度差分を、画素輝度テーブル１５２に保存する。同様に、比較部１４４は、第１の領域４３３、４３４に関しても、基準領域との輝度差分を算出する。なお、第１の領域４３３、４３４に関する処理の説明は、第１の領域４３２に関する処理の説明と同様であるため、詳細な説明は省略する。
【００６８】
次に、情報処理装置１００の動作について説明する。
【００６９】
まず、表示画面の境界部分に相当する、第２の領域を抽出する処理について説明する。
【００７０】
図１０は、表示画面の境界部分に相当する、第２の領域を抽出する処理の一例を示すフローチャートである。
【００７１】
ステップＳ１において、表示画面の境界部分を被写体として含む、第２の撮影画像を取得したか否かを、制御部１４０は判断する。例えば、制御部１４０は、境界部分の撮影を指示するメッセージを、装置表示部１２０に表示しても良い。そして、制御部１４０は、境界部分の撮影を指示するメッセージを表示した後、画像取得部１１０が撮影画像を取得した場合、ステップＳ１の処理を実行しても良い。
【００７２】
第２の撮影画像を取得した場合（ステップＳ１のＹｅｓ分岐）には、制御部１４０は、装置表示部１２０に第２の撮影画像を表示する（ステップＳ２）。そして、ステップＳ３に遷移する。一方、第２の撮影画像を取得しない場合（ステップＳ１のＮｏ分岐）には、情報処理装置１００は、表示画面の境界部分に相当する、第２の領域を抽出する処理を終了する。
【００７３】
ステップＳ３において、ユーザの操作に基づいて、表示画面の境界部分に相当する第２の領域が選択されたか否かを、領域抽出部１４１は判断する。例えば、ユーザは、装置表示部１２０に表示された第２の撮影画像から、装置操作部１３０を用いて、表示画面の境界部分に相当する第２の領域を選択しても良い。なお、上述の通り、領域抽出部１４１は、表示画面の境界部分に相当する領域のうち、一部の領域を第２の領域として抽出しても良い。
【００７４】
第２の領域が選択された場合（ステップＳ３のＹｅｓ分岐）には、領域抽出部１４１は、選択された第２の領域の画素値を抽出する（ステップＳ４）。ここで、領域抽出部１４１は、第２の領域の画素値の統計値（平均値等）を算出しても良い。そして、ステップＳ５に遷移する。一方、第２の領域が選択されない場合（ステップＳ３のＮｏ分岐）には、ステップＳ３の処理を繰り返す。
【００７５】
ステップＳ５において、領域抽出部１４１は、第２の領域の画素値を、境界部分色データ１５１として保存する。なお、領域抽出部１４１は、第２の領域における画素値の統計値を算出した場合、算出した当該統計値を、境界部分色データ１５１として保存しても良い。
【００７６】
次に、各表示画面に相当する、第１の領域を抽出する処理について説明する。
【００７７】
図１１は、各表示画面に相当する、第１の領域を抽出する処理の一例を示すフローチャートである。
【００７８】
ステップＳ１０において、制御部１４０は、基準色を設定する。例えば、記憶部１５０は、基準色の組み合わせを、予め記憶しておいても良い。具体的には、記憶部１５０は、赤色成分、緑色成分、青色成分、白色等、色を示す情報（例えば、色の名称等）を、基準色の組み合わせとして予め記憶しておいても良い。ここで、制御部１４０は、予め記憶された基準色の組み合わせに基づいて、所定の順序で、基準色を順に設定しても良い。
【００７９】
ステップＳ１１において、マルチディスプレイを被写体とする、第１の撮影画像を取得したか否かを、制御部１４０は判断する。例えば、制御部１４０は、マルチディスプレイの撮影を指示するメッセージを、装置表示部１２０に表示しても良い。そして、制御部１４０は、マルチディスプレイの撮影を指示するメッセージを表示した後、画像取得部１１０が撮影画像を取得した場合、ステップＳ１１の処理を実行しても良い。
【００８０】
なお、ユーザは、被写体とするマルチディスプレイにおいて、設定された同一の基準色が表示されていることを確認した後、装置操作部１３０を用いて、撮影実行の操作を実行することが好ましい。具体的には、表示制御装置２００が、基準表示画面と、補正対象とする表示画面とにおいて、設定された同一の基準色を表示させている場合、ユーザは、装置操作部１３０を用いて、撮影実行の操作を実行することが好ましい。
【００８１】
そして、第１の撮影画像を取得した場合（ステップＳ１１のＹｅｓ分岐）には、制御部１４０は、装置表示部１２０に、第１の撮影画像を表示する。そして、ステップＳ１３に遷移する。一方、第１の撮影画像を取得しない場合（ステップＳ１１のＮｏ分岐）には、ステップＳ１１の処理を繰り返す。
【００８２】
ステップＳ１３において、領域抽出部１４１は、境界部分色データ１５１に基づいて、第１の撮影画像から、２以上の第１の領域を抽出する。そして、ステップＳ１４に遷移する。
【００８３】
具体的には、領域抽出部１４１は、境界部分色データ１５１に基づいて、第１の撮影画像から、表示画面の境界部分に相当する領域（画素）を抽出する。
【００８４】
より具体的には、領域抽出部１４１は、境界部分色データ１５１に保存された画素値と、第１の撮影画像内の画素値とを比較する。そして、領域抽出部１４１は、境界部分色データ１５１に保存された画素値と、第１の撮影画像内の画素値との差分が所定の閾値以内である場合、当該第１の撮影画像内の画素を、表示画面の境界部分に相当する画素と判断する。そして、領域抽出部１４１は、第１の撮影画像内のすべての画素を対象として、境界部分色データ１５１に保存された画素値と、第１の撮影画像内の画素値とを比較する処理を行い、表示画面の境界部分に相当する画素を抽出しても良い。
【００８５】
例えば、領域抽出部１４１が、表示画面の境界部分に相当する画素に基づいて、第１の領域の境界線を生成しても良い。そして、領域抽出部１４１は、第１の領域の境界線に基づいて、第１の撮影画像から、１又は２以上の第１の領域を抽出しても良い。
【００８６】
ここで、領域抽出部１４１が第１の領域の境界線を生成した場合、領域抽出部１４１は、当該境界線を第１の撮影画像に重ねた画像を生成し、当該生成した画像を、装置表示部１２０に表示しても良い。その場合、領域抽出部１４１は、第１の領域の境界線が強調表示されるように、当該境界線と第１の撮影画像とを重ねた画像を生成しても良い。その結果、ユーザは、装置表示部１２０に表示された画像を見て、第１の領域を認識することが容易になる。
【００８７】
なお、図示しないが、領域抽出部１４１は、境界部分色データ１５１に基づいて、第１の撮影画像から、２以上の第１の領域を抽出しない場合には、ステップＳ１１に戻り、処理を継続しても良い。すなわち、２以上の第１の領域が抽出されない場合には、ユーザは、再度、マルチディスプレイを撮影しても良い。
【００８８】
ステップＳ１４において、画素輝度テーブル１５２が生成されているか否かを、制御部１４０は判断する。具体的には、記憶部１５０が画素輝度テーブル１５２を記憶しているか否かを、制御部１４０は判断する。画素輝度テーブル１５２が生成されている場合（ステップＳ１４のＹｅｓ分岐）には、ステップＳ１７に遷移する。
【００８９】
一方、画素輝度テーブル１５２が生成されていない場合（ステップＳ１４のＮｏ分岐）には、制御部１４０は画素輝度テーブル１５２を生成する（ステップＳ１５）。そして、制御部１４０は、画素輝度テーブル１５２に、第１の領域を登録する（ステップＳ１６）。具体的には、制御部１４０は、抽出された第１の領域に対応する項目を、画素輝度テーブル１５２に生成する。そして、ステップＳ１７に遷移する。
【００９０】
ステップＳ１７において、ユーザの操作に基づいて、第１の領域から基準領域が選択されたか否かを、基準領域決定部１４２は判断する。具体的には、ユーザは、装置表示部１２０に表示された第１の撮影画像から、装置操作部１３０を用いて、基準表示画面に相当する領域を選択する。基準領域決定部１４２は、基準表示画面に相当する領域として選択された領域を、基準領域として決定する。そして、基準領域決定部１４２は、画素輝度テーブル１５２において、基準領域に相当する第１の領域に、フラグを立てる。
【００９１】
第１の領域から基準領域が選択された場合（ステップＳ１７のＹｅｓ分岐）には、図１２に示すステップＳ２０に遷移する。一方、第１の領域から基準領域が選択されていない場合（ステップＳ１７のＮｏ分岐）には、基準領域決定部１４２は、ステップＳ１７の処理を繰り返す。
【００９２】
次に、輝度差分を算出する処理について説明する。
【００９３】
図１２は、輝度差分を算出する処理の一例を示すフローチャートである。なお、図１２において、所定の基準色とは、図１１に示すステップＳ１０の処理において設定した基準色を意味するものとする。
【００９４】
ステップＳ２０において、画素輝度算出部１４３は、各第１の領域に関して、所定の基準色に対応する、各画素の画素輝度を算出する。そして、ステップＳ２１において、画素輝度算出部１４３は、各第１の領域に関して、所定の基準色に対応する、画素輝度の統計値を算出する。
【００９５】
ステップＳ２２において、画素輝度算出部１４３は、基準領域を除く各第１の領域に関して、第１の領域の画素輝度の統計値と、基準領域の画素輝度の統計値との差分を、輝度差分として算出する。
【００９６】
ステップＳ２３において、画素輝度算出部１４３は、算出した輝度差分を、画素輝度テーブル１５２に保存する。具体的には、画素輝度算出部１４３は、算出対象の第１の領域、及び基準色に関する輝度差分を、画素輝度テーブル１５２において対応する第１の領域、及び基準色の項目に登録する。
【００９７】
ステップＳ２４において、予め定められた１又は２以上の基準色に関して、輝度差分を算出したか否かを、画素輝度算出部１４３は判断する。例えば、記憶部１５０が赤色成分、緑色成分、青色成分、白色を示す情報を、基準色の組み合わせとして記憶しているとする。その場合、赤色成分、緑色成分、青色成分、白色に関して、輝度差分を算出したか否かを、画素輝度算出部１４３は判断する。
【００９８】
予め定められた１又は２以上の基準色に関して、輝度差分を算出した場合（ステップＳ２４のＹｅｓ分岐）には、制御部１４０は、第１の領域と、対応する輝度差分とを対応付けた情報を装置表示部１２０に表示する（ステップＳ２７）。例えば、制御部１４０は、第１の撮影画像の各第１の領域に、各基準色の輝度差分を示す文字列を重畳した画像を生成し、装置表示部１２０に、当該画像を表示しても良い。その結果、ユーザは、表示された画像を見て、第１の領域と、当該第１の領域に対応する輝度差分とを、容易に把握できる。
【００９９】
そして、ユーザは、装置表示部１２０に表示された輝度差分に基づいて、表示制御装置２００の操作部（図示せず）を用いて、各表示画面の表示を補正する操作を実行しても良い。具体的には、ユーザは、表示制御装置２００の操作部（図示せず）を用いて、表示制御装置２００に輝度差分を入力しても良い。そして、表示制御装置２００は、入力された輝度差分を、各表示装置２０１に送信する。そして、各表示装置２０１は、受信した輝度差分に基づいて、表示画面の表示（表示画面の明度、彩度等）を補正する。
【０１００】
一方、予め定められた１又は２以上の基準色に関して、輝度差分を算出していない場合（ステップＳ２４のＮｏ分岐）には、制御部１４０は、基準色を変更する（ステップＳ２５）。具体的には、制御部１４０は、予め定められた１又は２以上の基準色から、輝度差分を算出していない基準色を選択し、輝度差分の算出対象の基準色として設定する。
【０１０１】
ステップＳ２６において、制御部１４０は、基準色の切り替えを指示するメッセージを、装置表示部１２０に表示する。そして、図１１に示すステップＳ１１に遷移する。
【０１０２】
例えば、基準色の切り替えを指示するメッセージが、装置表示部１２０に表示された場合、ユーザは、表示制御装置２００の操作部（図示せず）を用いて、指示された基準色を、マルチディスプレイに表示させる操作を実行しても良い。表示制御装置２００は、マルチディスプレイに、基準色を表示させる操作を受け付けた場合、マルチディスプレイを構成する表示画面に、指定された基準色を表示させる。具体的には、表示制御装置２００は、指定された同一の基準色を表示するように、２以上の表示装置２０１に信号を送信する。
【０１０３】
［変形例１］
本実施形態に係る情報処理装置１００の変形例１として、基準領域決定部１４２は、画素輝度の統計値が所定の条件を満たす、第１の領域のうち、一の表示画面に相当する領域を、基準領域として決定しても良い。例えば、基準領域決定部１４２は、２以上の第１の領域のうち、画素輝度の統計値（上記の第１の統計値に相当）が最も低い第１の領域を、基準領域として決定しても良い。
【０１０４】
［変形例２］
また、本実施形態に係る情報処理装置１００の変形例２として、基準領域決定部１４２は、基準色毎に、基準領域を決定する基準を変更しても良い。例えば、基準色が、赤色成分、緑色成分、青色成分、白色であるとする。その場合に、基準領域決定部１４２は、赤色成分、緑色成分、青色成分に関しては、ユーザの操作に基づいて、決定する。一方、例えば、基準領域決定部１４２は、白色成分に関しては、２以上の第１の領域のうち、画素輝度の統計値（上記の第１の統計値に相当）が最も低い第１の領域を、基準領域として決定しても良い。
【０１０５】
以上のように、本実施形態に係る情報処理装置１００は、マルチディスプレイを被写体とする撮影画像を用いて、各表示画面の表示における差分を算出する。そのため、本実施形態に係る情報処理装置１００は、マルチディスプレイを構成する表示画面間における、表示の相違を、容易に把握することに貢献する。
【０１０６】
また、本実施形態に係る情報処理システム３００においては、情報処理装置１００が、各表示画面において表示される、色の差分を算出する。そのため、本実施形態に係る情報処理システム３００においては、ユーザが目視で、各表示画面の表示を補正する必要がない。従って、本実施形態に係る情報処理システム３００においては、マルチディスプレイを構成する各表示画面の表示を、適切に補正することに貢献する。
【０１０７】
なお、上記した実施形態においては、赤色成分、緑色成分、青色成分が８ビットである場合を例示して説明した。しかし、これは、情報処理システム３００において、撮影画像の赤色成分、緑色成分、青色成分を８ビットに限定する趣旨ではない。
【０１０８】
また、上記した実施形態においては、赤色成分、緑色成分、青色成分を例示して説明した。しかし、これは、情報処理システム３００において、補正対象の色空間をＲＧＢ空間に限定する趣旨ではない。例えば、本発明に係る情報処理システム３００は、ＹＵＶ、ＹＣｒＣｂ等、他の色空間を用いても良いことは勿論である。
【０１０９】
また、上記した実施形態においては、第２の撮影画像は、第１の撮影画像とは異なる撮影画像である形態について説明した。しかし、一の撮影画像が、境界部分に相当する領域、及び２以上の表示画面に相当する領域を含む場合、情報処理装置１００は、当該撮影画像を、第１の撮影画像、及び第２の撮影画像として用いても良いことは勿論である。
【０１１０】
上述の実施形態の一部又は全部は、以下の付記のようにも記載され得るが、以下には限られない。
【０１１１】
（付記１）上記第１の視点に係る情報処理装置の通りである。
【０１１２】
（付記２）前記画素輝度算出部は、前記各基準色に関して、前記各第１の領域に対応する前記画素輝度の統計値を、夫々、第１の統計値として算出するとともに、各基準色に関して、前記基準領域に対応する前記第１の統計値を、夫々、第２の統計値として決定し、前記比較部は、前記各基準色に関して、前記第１の統計値と、前記第２の統計値と、の差分を、前記第１の領域毎に算出する、付記１に記載の情報処理装置。
【０１１３】
（付記３）前記画素輝度算出部は、前記画素輝度の平均値、中間値、最頻度の少なくともいずれかを、前記第１の統計値として算出する、付記２に記載の情報処理装置。
【０１１４】
（付記４）画素輝度テーブルを記憶する、記憶部をさらに備え、前記画素輝度テーブルは、前記第１の領域を識別するための情報と、当該第１の領域、及び前記各基準色に対応する、前記第１の統計値と、当該基準色に対応する前記差分と、を対応付けた情報を含む、付記２又は３に記載の情報処理装置。
【０１１５】
（付記５）前記領域抽出部は、前記画像取得部が、隣り合う表示画面に挟まれた境界部分を、被写体として含む第２の前記撮影画像を取得した場合、前記境界部分に相当する第２の領域を、第２の撮影画像から抽出し、前記第２の領域の画素値を抽出し、前記第２の領域の画素値に基づいて、前記第１の撮影画像から、１又は２以上の前記第１の領域を抽出する、付記１乃至４のいずれか一に記載の情報処理装置。
【０１１６】
（付記６）上記の第２の視点に係る情報処理システムの通りである。
【０１１７】
（付記７）前記表示制御装置は、前記基準領域に対応する第１の前記表示画面と、前記基準領域と異なる１又は２以上の前記第１の領域に対応する、第２の前記表示画面とに、同一の前記基準色を表示させる、付記６に記載の情報処理システム。
【０１１８】
（付記８）上記第３の視点に係るプログラムの通りである。
【０１１９】
（付記９）前記画素輝度算出処理において、前記各基準色に関して、前記各第１の領域に対応する前記画素輝度の統計値を、夫々、第１の統計値として算出するとともに、各基準色に関して、前記基準領域に対応する前記第１の統計値を、夫々、第２の統計値として決定し、前記比較処理において、前記各基準色に関して、前記第１の統計値と、前記第２の統計値と、の差分を、前記第１の領域毎に算出する、付記８に記載のプログラム。
【０１２０】
（付記１０）前記画素輝度算出処理において、前記画素輝度の平均値、中間値、最頻度の少なくともいずれかを、前記第１の統計値として算出する、付記９に記載のプログラム。
【０１２１】
（付記１１）画素輝度テーブルを記憶する処理をさらに含み、前記画素輝度テーブルは、前記第１の領域を識別するための情報と、当該第１の領域、及び前記各基準色に対応する、前記第１の統計値と、当該基準色に対応する前記差分と、を対応付けた情報を含む、付記９又は１０に記載のプログラム。
【０１２２】
（付記１２）前記領域抽出処理において、隣り合う表示画面に挟まれた境界部分を、被写体として含む第２の前記撮影画像が取得された場合、前記境界部分に相当する第２の領域を、第２の撮影画像から抽出し、前記第２の領域の画素値を抽出し、前記第２の領域の画素値に基づいて、前記第１の撮影画像から、１又は２以上の前記第１の領域を抽出する、付記８乃至１１のいずれか一に記載のプログラム。
【０１２３】
（付記１３）上記第４の視点に係る情報処理装置の制御方法の通りである。
【０１２４】
（付記１４）前記画素輝度算出工程において、前記各基準色に関して、前記各第１の領域に対応する前記画素輝度の統計値を、夫々、第１の統計値として算出するとともに、各基準色に関して、前記基準領域に対応する前記第１の統計値を、夫々、第２の統計値として決定し、前記比較工程において、前記各基準色に関して、前記第１の統計値と、前記第２の統計値と、の差分を、前記第１の領域毎に算出する、付記１３に記載の情報処理装置の制御方法。
【０１２５】
（付記１５）前記画素輝度算出工程において、前記画素輝度の平均値、中間値、最頻度の少なくともいずれかを、前記第１の統計値として算出する、付記１４に記載の情報処理装置の制御方法。
【０１２６】
（付記１６）画素輝度テーブルを記憶する工程をさらに含み、前記画素輝度テーブルは、前記第１の領域を識別するための情報と、当該第１の領域、及び前記各基準色に対応する、前記第１の統計値と、当該基準色に対応する前記差分と、を対応付けた情報を含む、付記１４又は１５に記載の情報処理装置の制御方法。
【０１２７】
（付記１７）前記領域抽出工程において、隣り合う表示画面に挟まれた境界部分を、被写体として含む第２の前記撮影画像が取得された場合、前記境界部分に相当する第２の領域を、第２の撮影画像から抽出し、前記第２の領域の画素値を抽出し、前記第２の領域の画素値に基づいて、前記第１の撮影画像から、１又は２以上の前記第１の領域を抽出する、付記１３乃至１６のいずれか一に記載の情報処理装置の制御方法。
【０１２８】
なお、上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１２９】
１００、１０００  情報処理装置
１１０、１００１  画像取得部
１２０  装置表示部
１３０  装置操作部
１４０  制御部
１４１、１００２  領域抽出部
１４２、１００４  基準領域決定部
１４３、１００３  画素輝度算出部
１４４、１００５  比較部
１５０  記憶部
１５１  境界部分色データ
１５２  画素輝度テーブル
２００  表示制御装置
２０１−１〜２０１−ｎ  表示装置
２０２、４００  マルチディスプレイ
２０３−１−１〜２０３−ｋ−ｍ、４０１〜４０４  表示画面
３００  情報処理システム
２０４、４１１、４１２、４２１〜４２４  領域
４２０  第２の撮影画像
４３０  第１の撮影画像
４３１〜４３４  第１の領域
【図１】
2016018058.tif 000006
【図２】
2016018058.tif 000007
【図３】
2016018058.tif 000008
【図４】
2016018058.tif 000009
【図５】
2016018058.tif 000010
【図６】
2016018058.tif 000011
【図７】
2016018058.tif 000012
【図８】
2016018058.tif 000013
【図９】
2016018058.tif 000014
【図１０】
2016018058.tif 000015
【図１１】
2016018058.tif 000016
【図１２】
2016018058.tif 000017